(57)【特許請求の範囲】
【請求項１】
メダル入口およびメダル出口に連通するメダル通路と、
基準メダルを保持する基準メダル保持機構と、
前記メダル入口から前記メダル出口に向けて前記メダル通路を通過中のメダルの色情報を検出する第１カラーセンサと、
前記第１カラーセンサとは別に設けられ、前記基準メダル保持機構に保持されている前記基準メダルの色情報を検出する第２カラーセンサと、
前記第１カラーセンサによって検出される色情報および前記第２カラーセンサによって検出される色情報に基づいて、前記メダル通路を通過中のメダルが前記基準メダルと色が違う色違いメダルである場合に、メダルが前記メダル出口に到達するのを阻止する阻止手段とを含むことを特徴とする、メダルセレクタ。
【請求項２】
前記メダル出口よりもメダルの通過方向の上流側の第１検出位置におけるメダルの存在／非存在を検出する第１メダル検出手段をさらに含み、
前記阻止手段は、前記第１カラーセンサによって前記メダル通路を通過中のメダルの色情報が検出された時点で、前記第１メダル検出手段により、前記色違いメダルとは別の先行メダルの存在が検出されている場合、当該先行メダルが前記第１検出位置を通過し終えて、前記第１メダル検出手段により、当該先行メダルの非存在が検出された後に、メダルが前記メダル出口に到達するのを阻止することを特徴とする、請求項１に記載のメダルセレクタ。
【請求項３】
前記第１検出位置と前記メダル出口との間の第２検出位置におけるメダルの存在／非存在を検出する第２メダル検出手段をさらに含み、
前記阻止手段は、前記第１カラーセンサによって前記メダル通路を通過中のメダルの色情報が検出された時点で、前記第２メダル検出手段により、前記先行メダルの存在が検出されている場合、メダルが前記メダル出口に到達するのを阻止しないことを特徴とする、請求項２に記載のメダルセレクタ。
【請求項４】
前記阻止手段は、前記第１カラーセンサによって前記メダル通路を通過中のメダルの色情報が検出された時点で、前記第２メダル検出手段により、前記先行メダルの存在が検出されている場合、メダルが前記メダル出口に到達するのを阻止せず、前記第２メダル検出手段により、前記先行メダルの非存在が検出された後に、メダルが前記メダル出口に到達するのを阻止することを特徴とする、請求項３に記載のメダルセレクタ。
【請求項５】
前記メダル通路における前記第１検出位置よりもメダルの通過方向の上流側の一部を形成し、メダルを通過させる通路形成位置と、前記メダル通路の前記一部を開放し、メダルが通過不能となる通路開放位置とに変位可能に設けられた可変通路と、
前記可変通路上におけるメダルの存在／非存在を検出する可変通路メダル検出手段とをさらに含み、
前記阻止手段は、前記メダル出口を閉鎖する出口閉鎖手段と、前記可変通路を前記通路形成位置から前記通路開放位置に変位させる変位手段とを含み、前記第１カラーセンサによって前記メダル通路を通過中のメダルの色情報が検出された時点で、前記可変通路メダル検出手段により、前記先行メダルの存在が検出されている場合、メダルが前記メダル出口に到達するのを阻止しないことを特徴とする、請求項２〜４のいずれか一項に記載のメダルセレクタ。
【請求項６】
前記阻止手段は、前記可変通路メダル検出手段により、前記先行メダルの存在が検出された後、前記可変通路メダル検出手段により、前記先行メダルの非存在が検出され、かつ、前記第１メダル検出手段により、前記先行メダルの非存在が検出された場合、メダルが前記メダル出口に到達するのを阻止することを特徴とする、請求項５に記載のメダルセレクタ。
【請求項７】
前記メダル入口から前記メダル通路にメダルが進入したことを検出するメダル入口センサをさらに含み、
前記第２カラーセンサは、前記メダル入口センサにより、前記メダル入口から前記メダル通路へのメダルの進入が検出されたことに応答して、前記基準メダル保持機構に保持されている前記基準メダルの色情報を検出することを特徴とする、請求項１〜６のいずれか一項に記載のメダルセレクタ。
【請求項８】
前記基準メダルが前記基準メダル保持機構に保持されていることを検出する基準メダル保持検出手段をさらに含み、
前記第１カラーセンサおよび前記第２カラーセンサは、前記基準メダル保持検出手段により、前記基準メダルが前記基準メダル保持機構に保持されていることが検出されているときに動作することを特徴とする、請求項１〜７のいずれか一項に記載のメダルセレクタ。
【請求項９】
前記第１カラーセンサおよび前記第２カラーセンサは、同一の基板上に実装されていることを特徴とする、請求項１〜８のいずれか一項に記載のメダルセレクタ。
【請求項１０】
本体と、
前記本体に形成され、メダルを投入するためのメダル投入口と、
前記メダル投入口から投入されたメダルを選別するメダルセレクタとを含み、
前記メダルセレクタとして、請求項１〜９のいずれか一項に記載のメダルセレクタが用いられていることを特徴とする、遊技機。
【発明の詳細な説明】
【技術分野】
【０００１】
本発明は、メダルセレクタおよび遊技機に関する。
【背景技術】
【０００２】
近年、１枚２０円で貸出しを受けたメダルをゲームに使用するスロットマシン、いわゆる２０スロと、１枚５円で貸出しを受けたメダルをゲームに使用するスロットマシン、いわゆる５スロとを同一フロアに設置する営業形態を採用したパチスロホールが増大している。この営業形態を採用したパチスロホールでは、５スロ用のメダルを２０スロでのゲームに使用する不正行為が故意または過失で行われると、大きな損失を被ることになる。そこで、その不正行為を防止する対策として、たとえば、５スロ用のメダルと２０スロ用のメダルとに互いに異なる色のメダルが採用されている。
【０００３】
スロットマシンには、メダル投入口から投入されるメダルを検出および選別するためのメダルセレクタが内蔵されている。従来のメダルセレクタでは、正規サイズのメダルとそれよりも小径サイズのメダルとを選別することができる。しかしながら、５スロ用のメダルと２０スロ用のメダルとは、サイズが同じであるので、従来のメダルセレクタでは、それらを選別することができない。
【先行技術文献】
【特許文献】
【０００４】
【特許文献１】特開２００２−３３６４１６号公報
【発明の概要】
【発明が解決しようとする課題】
【０００５】
本発明の目的は、正規のメダルとその正規のメダルと色が違う色違いメダルとを選別して、色違いメダルがメダル通路を通過することを阻止できる、メダルセレクタおよび遊技機を提供することである。
【課題を解決するための手段】
【０００６】
以下、本発明について説明する。なお、発明の理解を容易にするため、添付図面の参照符号等を括弧書きにて付記するが、それにより本発明が表示の形態に限定されるものではない。
【０００７】
前記の目的を達成するため、本発明の一の局面に係るメダルセレクタ（３１）は、メダル入口（１４２）およびメダル出口（６０）に連通するメダル通路（１４３）と、基準メダル（ＳＭ）を保持する基準メダル保持機構（７１）と、メダル入口（１４２）からメダル出口（６０）に向けてメダル通路（１４３）を通過中のメダル（ＩＭ）の色情報を検出する第１カラーセンサ（９４）と、第１カラーセンサ（９４）とは別に設けられ、基準メダル保持機構（７１）に保持されている基準メダル（ＳＭ）の色情報を検出する第２カラーセンサ（９６）と、第１カラーセンサ（９４）によって検出される色情報および第２カラーセンサ（９６）によって検出される色情報に基づいて、メダル通路（１４３）を通過中のメダル（ＩＭ）が基準メダル（ＳＭ）と色が違う色違いメダルである場合に、メダルがメダル出口（６０）に到達するのを阻止する阻止手段（１３３，１３４，１３５）とを含むことを特徴とする。
【０００８】
この構成によれば、第１カラーセンサ（９４）と第２カラーセンサ（９６）との２つのカラーセンサが設けられている。第１カラーセンサ（９４）は、メダル入口（１４２）からメダル出口（６０）に向けてメダル通路（１４３）を通過中のメダル（ＩＭ）の色情報を検出する。第２カラーセンサ（９６）は、基準メダル保持機構（７１）に保持されている基準メダル（ＳＭ）の色情報を検出する。第１カラーセンサ（９４）によって検出される色情報および第２カラーセンサ（９６）によって検出される色情報に基づいて、メダル通路（１４３）を通過中のメダル（ＩＭ）が基準メダル（ＳＭ）と色が違う場合には、阻止手段（１３３，１３４，１３５）により、メダル出口（６０）へのメダル（ＩＭ）の到達が阻止される。
【０００９】
よって、基準メダル保持機構（７１）に保持されている基準メダル（ＳＭ）が正規のメダルであるとして、その正規のメダルと色違いメダルとを選別して、色違いメダルがメダル通路（１４３）を通過することを阻止できる。
【００１０】
基準メダル（ＳＭ）の色情報とメダル通路（１４３）を通過中のメダル（ＩＭ）の色情報とが同一のカラーセンサによって検出される構成では、一方の色情報の検出と他方の色情報の検出とにタイムラグが生じる。そのため、それらの色情報に基づいて、たとえば、メダル通路（１４３）を通過中のメダル（ＩＭ）が色違いメダルであるか否かを判定するためには、先に検出される色情報を記憶しておくための記憶領域をメモリ（２１３）に確保しなければならず、また、その色情報をメモリ（２１３）に記憶させる処理が必要である。
【００１１】
これに対し、第１カラーセンサ（９４）と第２カラーセンサ（９６）とが別々に設けられた構成では、第１カラーセンサ（９４）による色情報の検出と第２カラーセンサ（９６）による色情報の検出とを同時に行うことができるので、メダル通路（１４３）を通過中のメダル（ＩＭ）が色違いメダルであるか否かの判定（色違い判定）のために、色情報をメモリ（２１３）に記憶させる必要がない。その結果、メモリ（２１３）の使用量を低減することができる。また、色情報をメモリ（２１３）に記憶させる処理が不要であるので、色違い判定のためのプログラムを簡素化することができる。
【００１２】
メダルセレクタ（３１）は、メダル出口（６０）よりもメダルの通過方向の上流側の第１検出位置におけるメダルの存在／非存在を検出する第１メダル検出手段（１１２）をさらに含み、阻止手段（１３３，１３４，１３５）は、第１カラーセンサ（９４）によってメダル通路（１４３）を通過中のメダル（ＩＭ）の色情報が検出された時点で、第１メダル検出手段（１１２）により、そのメダル（ＩＭ）とは別の先行メダルの存在が検出されている場合、当該先行メダルが第１検出位置を通過し終えて、第１メダル検出手段（１１２）により、当該先行メダルの非存在が検出された後に、メダルがメダル出口（６０）に到達するのを阻止することが好ましい。
【００１３】
この構成によれば、先行メダルが存在する場合に、その先行メダルが第１検出位置を通過し終えた後に、阻止手段（１３３，１３４，１３５）により、メダル出口（６０）へのメダルの到達が阻止される。これにより、メダル出口（６０）への先行メダルの到達が阻止されることを防止できる。
【００１４】
遊技機（１）は、第１検出位置とメダル出口（６０）との間の第２検出位置におけるメダルの存在／非存在を検出する第２メダル検出手段（１１３）をさらに含み、阻止手段（１３３，１３４，１３５）は、第１カラーセンサ（９４）によってメダル通路（１４３）を通過中のメダル（ＩＭ）の色情報が検出された時点で、第２メダル検出手段（１１３）により、先行メダルの存在が検出されている場合、メダルがメダル出口（６０）に到達するのを阻止しないことが好ましい。
【００１５】
この構成によれば、先行メダルが第１検出位置を通過し終えた後であっても、その先行メダルが第２検出位置を通過している間は、メダル出口（６０）へのメダルの到達が阻止されない。これにより、メダル出口（６０）への先行メダルの到達が阻止されることを一層防止できる。
【００１６】
この場合、阻止手段（１３３，１３４，１３５）は、第２メダル検出手段（１１３）により、先行メダルの非存在が検出された後に、メダルがメダル出口（６０）に到達するのを阻止すればよい。
【００１７】
メダルセレクタ（３１）は、メダル通路（１４３）における第１検出位置よりもメダルの通過方向の上流側の一部を形成し、メダルを通過させる通路形成位置と、メダル通路（１４３）の一部を開放し、メダルが通過不能となる通路開放位置とに変位可能に設けられた可変通路（４２）と、可変通路（４２）上におけるメダルの存在／非存在を検出する可変通路メダル検出手段（１３６）とをさらに含み、阻止手段（１３３，１３４，１３５）は、メダル出口（６０）を閉鎖する出口閉鎖手段（１３３，１３５）と、可変通路（４２）を通路形成位置から通路開放位置に変位させる変位手段（１３４）とを含み、第１カラーセンサ（９４）によってメダル通路（１４３）を通過中のメダル（ＩＭ）の色情報が検出された時点で、可変通路メダル検出手段（１３６）により、先行メダルの存在が検出されている場合、メダルがメダル出口（６０）に到達するのを阻止しないことが好ましい。
【００１８】
この構成によれば、先行メダルが存在する場合に、その先行メダルが可変通路（４２）を通過している間は、メダル出口（６０）へのメダルの到達が阻止されない。これにより、メダル出口（６０）への先行メダルの到達が阻止されることを防止できる。
【００１９】
阻止手段（１３３，１３４，１３５）は、可変通路メダル検出手段（１３６）により、先行メダルの存在が検出された後、可変通路メダル検出手段（１３６）により、先行メダルの非存在が検出され、かつ、第１メダル検出手段（１１２）により、先行メダルの非存在が検出された場合、メダルがメダル出口（６０）に到達するのを阻止することが好ましい。
【００２０】
これにより、先行メダルに後続する色違いメダル（ＩＭ）がメダル出口（６０）に到達することを防止できる。
【００２１】
メダルセレクタ（３１）は、メダル入口（１４２）からメダル通路（１４３）にメダルが進入したことを検出するメダル入口センサ（９７）をさらに含み、第２カラーセンサ（９６）は、メダル入口センサ（９７）により、メダル入口（１４２）からメダル通路（１４３）へのメダルの進入が検出されたことに応答して、基準メダル保持機構（７１）に保持されている基準メダル（ＳＭ）の色情報を検出してもよい。
【００２２】
メダルセレクタ（３１）は、基準メダル（ＳＭ）が基準メダル保持機構（７１）に保持されていることを検出する基準メダル保持検出手段（９８）をさらに含み、第１カラーセンサ（９４）および第２カラーセンサ（９６）は、基準メダル保持検出手段（９８）により、基準メダル（ＳＭ）が基準メダル保持機構（７１）に保持されていることが検出されているときに動作することが好ましい。
【００２３】
この構成によれば、基準メダル（ＳＭ）が基準メダル保持機構（７１）に保持されていない状態で、第１カラーセンサ（９４）および第２カラーセンサ（９６）が無駄に動作することを防止できる。その結果、消費電力を低減することができる。
【００２４】
第１カラーセンサ（９４）および第２カラーセンサ（９６）は、同一の基板（９２）上に実装されていてもよい。
【００２５】
この場合、第１カラーセンサ（９４）および第２カラーセンサ（９６）をメダルセレクタ（３１）に組み込む作業にかかる手間を軽減することができる。
【００２６】
本発明の他の局面に係る遊技機（１）は、本体（２）と、本体（２）に形成され、メダルを投入するためのメダル投入口（１１）と、メダル投入口（１１）から投入されたメダルを選別するメダルセレクタ（３１）とを含み、メダルセレクタ（３１）として、前述のメダルセレクタ（３１）が用いられていることを特徴とする。
【００２７】
この遊技機（１）では、前述のメダルセレクタ（３１）に関して述べた作用効果と同様の作用効果を奏することができる。
【発明の効果】
【００２８】
本発明によれば、正規のメダルと色違いメダルとを選別して、色違いメダルがメダル通路を通過することを阻止できる。また、第１カラーセンサによる色情報の検出と第２カラーセンサによる色情報の検出とを同時に行うことができるので、メダル通路を通過中のメダルが色違いメダルであるか否かの色違い判定のために、色情報をメモリに記憶させる必要がない。その結果、メモリの使用量を低減することができる。また、色情報をメモリに記憶させる処理が不要であるので、色違い判定のためのプログラムを簡素化することができる。
【図面の簡単な説明】
【００２９】
【図１】本発明の一実施形態に係るスロットマシンの斜視図である。
【図２】メダルセレクタの斜視図であり、カバーアセンブリがベースアセンブリに対して閉じられた状態を示す。
【図３】メダルセレクタの斜視図であり、カバーアセンブリがベースアセンブリに対して開かれた状態を示す。
【図４】ベースアセンブリの分解斜視図である。
【図５】ベースアセンブリの後面図である。
【図６】ベースアセンブリの後面図であり、基準メダルが基準メダル保持機構に保持され、メダルがメダル通路を通過している状態を示す。
【図７】図６に示される切断面線Ａ−Ａにおけるベースアセンブリの断面図である。
【図８】カラーセンサユニットの後面図である。
【図９】図８に示される切断面線Ｂ−Ｂおけるカラーセンサユニットの断面図である。
【図１０】カバーアセンブリの分解斜視図である。
【図１１】ベースアセンブリおよび押圧部材の断面図であり、投入メダルが押圧部材に接触する前の状態を示す。
【図１２】ベースアセンブリおよび押圧部材の断面図であり、投入メダルが押圧部材に接触している状態を示す。
【図１３】スロットマシンの電気的構成を示すブロック図である。
【図１４】メダルセレクタの電気的構成を示すブロック図である。
【図１５】基準メダル保持機構の断面図であり、基準メダル保持機構にメダルが保持されていない状態を示す。
【図１６】基準メダル保持機構の断面図であり、基準メダル保持機構にメダルが保持されている状態を示す。
【図１７】色違い判定処理の流れを示すフローチャートである。
【図１８Ａ】メダルブロック処理の流れを示すフローチャート（その１）である。
【図１８Ｂ】メダルブロック処理の流れを示すフローチャート（その２）である。
【発明を実施するための形態】
【００３０】
以下では、本発明の実施の形態について、添付図面を参照しつつ詳細に説明する。
【００３１】
図１は、本発明の一実施形態に係るスロットマシン１の斜視図である。
【００３２】
スロットマシン１は、前面が開放された箱型の本体２と、本体２の前面を開閉可能に設けられた前扉３とを備えている。
【００３３】
本体２内には、上下方向の中央部より少し上方の位置に、左リール４Ｌ、中リール４Ｃおよび右リール４Ｒが左右に並べて配置されている。左リール４Ｌ、中リール４Ｃおよび右リール４Ｒは、ドラム状のリール枠の周面にリール帯を巻着した構成を有しており、リール枠の中心で左右方向に延びる軸を中心に回転可能に設けられている。リール帯には、２１個の図柄が周方向に並べて配列されている。
【００３４】
前扉３には、表示部５、操作部６および演出表示部７が設けられている。
【００３５】
表示部５は、左リール４Ｌ、中リール４Ｃおよび右リール４Ｒと対向する位置に設けられている。表示部５の中央部には、左リール４Ｌ、中リール４Ｃおよび右リール４Ｒの周面の一部を視認可能にするためのリール窓８が設けられている。左リール４Ｌ、中リール４Ｃおよび右リール４Ｒの回転中は、リール窓８内に、左リール４Ｌ、中リール４Ｃおよび右リール４Ｒの図柄が次々に現れる（図柄の変動表示）。左リール４Ｌ、中リール４Ｃおよび右リール４Ｒが停止すると、リール窓８内に、左リール４Ｌ、中リール４Ｃおよび右リール４Ｒのそれぞれ３個の図柄、合計９個の図柄が表示される（図柄の停止表示）。
【００３６】
リール窓８の下方には、クレジット数表示器９および払出枚数表示器１０が左右に並べて配置されている。クレジット数表示器９および払出枚数表示器１０は、たとえば、２桁の数字を表示可能な７セグメント表示器からなる。
【００３７】
操作部６は、表示部５の下側に配置されている。操作部６には、メダル投入口１１、ＭＡＸベットボタン１２、１枚ベットボタン１３、２枚ベットボタン１４、スタートレバー１５、左ストップボタン１６Ｌ、中ストップボタン１６Ｃ、右ストップボタン１６Ｒおよび精算ボタン１７が設けられている。
【００３８】
メダル投入口１１からメダルが投入されると、その投入されたメダルがゲームにベット（ＢＥＴ）される。１ゲームに対して、最大で３枚のメダルをベットすることができる。３枚のメダルがゲームにベットされている状態で、メダル投入口１１からメダルが投入された場合、その投入されたメダルは、５０枚を上限として、スロットマシン１にクレジットされる。スロットマシン１にクレジットされているメダルの枚数（クレジット数）は、クレジット数表示器９に表示される。
【００３９】
３枚以上のメダルがスロットマシン１にクレジットされている状態で、ＭＡＸベットボタン１２が押操作されると、そのクレジットされているメダルから３枚のメダルがゲームにベットされ、クレジット数が３だけ減る。そして、クレジット数表示器９に表示されているクレジット数が３だけ減算された数に更新される。
【００４０】
１枚ベットボタン１３が押操作されると、スロットマシン１にクレジットされているメダルから１枚のメダルがゲームにベットされ、クレジット数が１だけ減る。そして、クレジット数表示器９に表示されているクレジット数が１だけ減算された数に更新される。
【００４１】
また、２枚ベットボタン１４が押操作されると、スロットマシン１にクレジットされているメダルから２枚のメダルがゲームにベットされ、クレジット数が２だけ減る。クレジット数表示器９に表示されているクレジット数が２だけ減算された数に更新される。
【００４２】
メダルがベットされると、１回のゲーム（１ゲーム）が開始となる。その後、スタートレバー１５が操作されると、左リール４Ｌ、中リール４Ｃおよび右リール４Ｒが回転し始める。左ストップボタン１６Ｌ、中ストップボタン１６Ｃ、右ストップボタン１６Ｒは、それぞれ左リール４Ｌ、中リール４Ｃおよび右リール４Ｒに対応して設けられている。左リール４Ｌ、中リール４Ｃおよび右リール４Ｒが回転し始めた後、左ストップボタン１６Ｌ、中ストップボタン１６Ｃおよび右ストップボタン１６Ｒが押操作されると、それぞれ左リール４Ｌ、中リール４Ｃおよび右リール４Ｒの回転が停止する。
【００４３】
左リール４Ｌ、中リール４Ｃおよび右リール４Ｒのすべてが停止した時点で、リール窓８内に停止表示された９個の図柄が所定の入賞態様のいずれかをなす場合、その入賞態様に対応づけられた役に入賞となる。小役に入賞した場合は、配当として、所定枚数のメダルが払い出される。この払い出されるメダルの枚数は、払出枚数表示器１０に表示される。また、小役の入賞に対して払い出されるメダルは、スロットマシン１に５０枚を上限としてクレジットされ、５０枚を超える分については、前扉３の最下部に設けられたメダル排出口１８からメダルトレイ１９に排出される。以上で、１ゲームが終了である。
【００４４】
精算ボタン１７が押操作されると、スロットマシン１で消費が保留されているメダル（メダル投入口１１からの投入によってゲームにベットされたメダル、クレジットされているメダル）がメダル排出口１８からメダルトレイ１９に排出される。
【００４５】
演出表示部７は、表示部５の上側に配置されている。演出表示部７には、ゲームの進行に合わせた演出画像などを表示するための液晶表示器２０が設けられている。また、演出表示部７には、液晶表示器２０の左側および右側に、ゲーム中の雰囲気を盛り上げるための効果音などを出力するスピーカ２１が配置されている。
【００４６】
前扉３には、操作部６とメダルトレイ１９との間に、スロットマシン１の機種名などを表示する表示パネル２２が装着されている。
【００４７】
メダル排出口１８の左側および右側には、スピーカ２１とともに効果音などを出力するスピーカ２３が配置されている。
【００４８】
図２および図３は、メダルセレクタ３１の斜視図である。
【００４９】
前扉３の裏面（内面）には、メダル投入口１１から投入されるメダルを検出および選別するためのメダルセレクタ３１が取り付けられている。
【００５０】
なお、メダルセレクタ３１が前扉３に取り付けられ、前扉３が閉じられた状態で、メダルセレクタ３１の前後、上下および左右の各方向を規定し、以下では、その方向を使用して、メダルセレクタ３１の構成について説明する。また、図２〜図１２の各図、図１５および図１６において、その方向を矢印で表示する。
【００５１】
メダルセレクタ３１は、ベースアセンブリ３２と、ベースアセンブリ３２に対して開閉可能に設けられたカバーアセンブリ３３とを備えている。カバーアセンブリ３３がベースアセンブリ３２に対して閉じられた状態では、図２に示されるように、カバーアセンブリ３３がベースアセンブリ３２に後側から重なり、カバーアセンブリ３３により、ベースアセンブリ３２の後面が覆われる。一方、カバーアセンブリ３３がベースアセンブリ３２に対して開かれた状態では、図３に示されるように、カバーアセンブリ３３がベースアセンブリ３２の後面から離間し、ベースアセンブリ３２の後面が開放される。
【００５２】
図４は、ベースアセンブリ３２の分解斜視図である。
【００５３】
ベースアセンブリ３２は、ベース本体４１、可変通路形成部材４２、カラーセンサユニット４３、メダルセンサユニット４４およびバックプレート４５を備えている。
【００５４】
ベース本体４１は、略直方体形状をなしている。
【００５５】
ベース本体４１の後面には、通路形成溝５１が形成されている。通路形成溝５１は、ベース本体４１の上面の右端部で上方に開放されている。通路形成溝５１は、ベース本体４１の上面から下方に延び、途中部で湾曲して、左下がりに傾斜して延びている。
【００５６】
図５および図６は、ベースアセンブリ３２の後面図である。図７は、図６に示される切断面線Ａ−Ａにおけるベースアセンブリ３２の断面図である。
【００５７】
通路形成溝５１内には、図５および図６に示されるように、第１カラー検出用開口５２、メダル進入検出用開口５３、第１メダル通過検出用開口５４および第２メダル通過検出用開口５５が前後方向に貫通して形成されている。第１カラー検出用開口５２は、通路形成溝５１の上下方向に延びる部分の略中央部に位置し、上下方向に延びる矩形状をなしている。メダル進入検出用開口５３は、第１カラー検出用開口５２の右下方に位置し、上下方向に延びる矩形状をなしている。第１メダル通過検出用開口５４は、通路形成溝５１の左上端部に位置し、矩形状をなしている。第２メダル通過検出用開口５５は、第１メダル通過検出用開口５４の斜め左下方に位置し、矩形状をなしている。
【００５８】
通路形成溝５１が左下がりに傾斜して延びる部分において、通路形成溝５１の下側面５２には、その一部が切り欠かれることにより、メダル脱落部５６が形成されている。そして、通路形成溝５１内には、メダル脱落部５６に沿って、レール進退窓５７が前後方向に貫通して形成されている。
【００５９】
また、ベース本体４１には、レール進退窓５７の上方に、矩形状のベース側操作窓５８が前後方向に貫通して形成されている。
【００６０】
ベース本体４１の左下端部には、図４に示されるように、その後面から突出する突出部５９が左端縁に沿って形成されている。突出部５９には、上下方向に延びる矩形状のメダル出口６０が左右方向に貫通して形成されている。通路形成溝５１の左端部は、メダル出口６０に接続されている。
【００６１】
ベース本体４１の左上端部には、２つの連結軸挿通部６１が上下方向に間隔を空けて形成されている。各連結軸挿通部６１は、平面視でＵ字状をなし、その両端（開放端）がベース本体４１の後面に接続されている。２つの連結軸挿通部６１には、連結軸６２が挿通されている。連結軸６２の上端部には、連結軸６２の径方向に張り出す鍔状の鍔部６３が形成されている。連結軸６２の下端部には、下側の連結軸挿通部６１の下方において、抜け止め６４が取り付けられている。鍔部６３および抜け止め６４により、連結軸６２が連結軸挿通部６１から抜けることが防止されている。また、連結軸６２の途中部は、２つの連結軸挿通部６１の間に配置されるねじりばね６５のコイル部分に挿通されている。ねじりばね６５の一端部は、ベース本体４１に係止されている。
【００６２】
ベース本体４１の右下端部には、図４、図５、図６および図７に示されるように、基準メダル保持機構７１が設けられている。基準メダル保持機構７１は、メダル収容凹部７２、メダル係止爪７３および２つのメダル支持アーム７４を備えている。
【００６３】
メダル収容凹部７２は、図４、図５および図７に示されるように、ベース本体４１の後面から凹む略円形状の凹部として、スロットマシン１で正規に使用されるメダルを収容可能なサイズに形成されている。メダル収容凹部７２の下部には、メダル収容凹部７２の周側面に対して上方に突出する係止凸部７５が形成されている。
【００６４】
ベース本体４１には、メダル収容凹部７２の上方に、係止爪用開口７６が前後方向に貫通して形成されている。メダル係止爪７３は、図７に示されるように、ベース本体４１と一体的に形成され、ベース本体４１の後面から係止爪用開口７６内を前方に延び、途中部が略Ｕ字状に湾曲して折り返されて、後方に延びている。メダル係止爪７３の先端部は、メダル収容凹部７２内に位置し、その先端部には、後側ほど厚さが大きくなる断面楔状の爪部７７が形成されている。
【００６５】
また、メダル収容凹部７２内には、図５に示されるように、２つのアーム用開口７８が左右方向に間隔を空けて形成されている。２つのアーム用開口７８は、上下方向に延びる矩形状をなし、ベース本体４１を前後方向に貫通している。メダル支持アーム７４は、ベース本体４１と一体的に形成され、各アーム用開口７８の下端から上方に延びている。メダル支持アーム７４の先端部（上端部）には、図４に示されるように、前方に突出する凸部７９が形成されている。
【００６６】
さらにまた、メダル収容凹部７２内には、図５に示されるように、２つのアーム用開口７８の間に、上下方向に延びる矩形状の第２カラー検出用開口８０が前後方向に貫通して形成されている。
【００６７】
可変通路形成部材４２は、図４に示されるように、揺動軸挿通孔８１が形成された揺動軸挿通部８２と、揺動軸挿通部８２から上方に延びる被操作部８３と、揺動軸挿通部８２の下方に間隔を空けた位置で揺動軸挿通孔８１の中心線方向に延びるレール部８４と、揺動軸挿通部８２とレール部８４とを連結する連結部８５とを一体的に有している。可変通路形成部材４２は、ベース本体４１の前側において、被操作部８３の上端部がベース側操作窓５８と前後方向に重なり、レール部８４がレール進退窓５７と前後方向に重なるように配置されている。そして、揺動軸挿通孔８１に揺動軸８６が挿通されて、その揺動軸８６の両端部がベース本体４１の前面に支持されることにより、可変通路形成部材４２は、揺動軸８６を支点に揺動可能に設けられている。
【００６８】
また、連結部８５とベース本体４１の前面との間には、コイルばね８７が介在され、コイルばね８７の弾性力により、連結部８５がベース本体４１から離れる方向に付勢されている。その付勢により、被操作部８３が押圧されていない状態では、被操作部８３の上端部がベース側操作窓５８から後方に突出し、レール部８４がレール進退窓５７内に退避している。被操作部８３が前方に押圧されると、コイルばね８７の弾性力に抗して、可変通路形成部材４２が回動し、被操作部８３がベース側操作窓５８内に退避するとともに、レール部８４がレール進退窓５７から後方に突出する。レール部８４の後端部（後端縁に沿った部分）８８は、上面がそれ以外の部分よりも一段低い位置に形成されている。レール部８４がレール進退窓５７から後方に突出した状態で、レール部８４の後端部８８がベース本体４１に形成されているメダル脱落部５６に位置し、後端部８８の上面が通路形成溝５１の下側面５２とほぼ同一平面上に位置する。
【００６９】
図８は、カラーセンサユニット４３の後面図である。図９は、図８に示される切断面線Ｂ−Ｂおけるカラーセンサユニット４３の断面図である。
【００７０】
カラーセンサユニット４３は、図４に示されるように、ベース本体４１の右端部の前側に配置されている。カラーセンサユニット４３は、図８に示されるように、ユニットケース９１、基板９２、第１光源９３、第１カラーセンサ９４、第２光源９５、第２カラーセンサ９６、メダル入口センサ９７（図９参照）およびメダルスイッチ９８を備えている。
【００７１】
ユニットケース９１は、上下方向に延びる略直方体形状をなしている。ユニットケース９１の前面は、図９に示されるように、開放されている。ユニットケース９１の後面には、ベース本体４１に形成されている第１カラー検出用開口５２、第２カラー検出用開口８０およびメダル進入検出用開口５３と前後方向に重なる位置（対向する位置）に、それぞれ開口１０１，１０２，１０３が前後方向に貫通して形成されている。開口１０１，１０２，１０３は、それぞれ第１カラー検出用開口５２、第２カラー検出用開口８０およびメダル進入検出用開口５３と略同一サイズの矩形状をなしている。また、ユニットケース９１の後面には、図８に示されるように、開口１０２の上端部から右方に間隔を空けた位置に、円形状の開口１０４が前後方向に貫通して形成されている。
【００７２】
基板９２は、図９に示されるように、ユニットケース９１の内形状に対応した矩形板状をなしている。基板９２は、ユニットケース９１の開放された前面からユニットケース９１内に入れられて、開口１０１，１０２を前側から閉塞するように配置されている。
【００７３】
第１光源９３、第１カラーセンサ９４、第２光源９５、第２カラーセンサ９６、メダル入口センサ９７およびメダルスイッチ９８は、基板９２の後面に実装されている。
【００７４】
第１光源９３および第１カラーセンサ９４は、上下方向に間隔を空けて配置され、開口１０１内に収容されている。第１光源９３は、たとえば、白色光を発光するＬＥＤからなる。第１カラーセンサ９４は、たとえば、Ｒ（赤）Ｇ（緑）Ｂ（青）のカラーフィルタおよびフォトダイオードを備え、入射光に含まれるＲＧＢの各色成分の強度に応じた信号を出力する。
【００７５】
第２光源９５および第２カラーセンサ９６は、上下方向に間隔を空けて配置され、開口１０２内に収容されている。たとえば、白色光を発光するＬＥＤからなる。第１カラーセンサ９４は、たとえば、ＲＧＢのカラーフィルタおよびフォトダイオードを備え、入射光に含まれるＲＧＢの各色成分の強度に応じた信号を出力する。
【００７６】
メダル入口センサ９７は、開口１０３に臨む位置に配置されている。メダル入口センサ９７は、たとえば、反射型フォトセンサまたは近接センサからなる。
【００７７】
メダルスイッチ９８は、図８に示されるように、プッシュスイッチからなり、棒状の可動部１０５を有している。可動部１０５は、開口１０４に挿通されており、可動部１０５の先端部は、開口１０４から後方に突出している。
【００７８】
メダルセンサユニット４４は、図４に示されるように、ベース本体４１の左端部の前側に配置されている。メダルセンサユニット４４は、取付板１１１、第１メダル出口センサ１１２および第２メダル出口センサ１１３を備えている。
【００７９】
取付板１１１は、上下方向に延びる板状をなしている。
【００８０】
第１メダル出口センサ１１２および第２メダル出口センサ１１３は、それぞれねじ１１４，１１５により、取付板１１１に取り付けられている。そして、第１メダル出口センサ１１２および第２メダル出口センサ１１３は、それぞれ第１メダル通過検出用開口５４および第２メダル通過検出用開口５５に臨む位置に配置されている。第１メダル出口センサ１１２および第２メダル出口センサ１１３は、たとえば、反射型フォトセンサまたは近接センサからなる。
【００８１】
そして、メダルセンサユニット４４は、取付板１１１に挿通されるねじ１１６により、ベース本体４１に取り付けられている。
【００８２】
バックプレート４５は、略矩形板状をなしている。バックプレート４５は、２つのねじ１２１により、ベース本体４１に前側から取り付けられている。各ねじ１２１には、封印用のキャップ１２２が被せられており、キャップ１２２を破壊しなければ、ねじ１２１を取り外せないようになっている。
【００８３】
図１０は、カバーアセンブリ３３の分解斜視図である。
【００８４】
カバーアセンブリ３３は、カバー本体１３１、押圧部材１３２、阻止部材１３３、第１ソレノイド１３４、第２ソレノイド１３５、中間センサ１３６および保護カバー１３７を備えている。
【００８５】
カバー本体１３１は、図２に示されるように、後面視でベースアセンブリ３２よりもサイズが小さい略矩形板状をなしている。
【００８６】
カバー本体１３１の左上端部には、図１０に示されるように、２つの連結軸嵌合部１４１が上下方向に間隔を空けて形成されている。各連結軸嵌合部１４１は、前方に開放されたＵ字状をなしている。連結軸嵌合部１４１がベースアセンブリ３２の連結軸６２に嵌合され、ねじりばね６５の他端部（ベース本体４１に係止されている端部と反対側の端部）がカバー本体１３１に係止されることにより、カバーアセンブリ３３（カバー本体１３１）がベースアセンブリ３２に対して開閉可能に連結されている。
【００８７】
カバー本体１３１の上面の左前角部は、矩形状に切り欠かれている。カバーアセンブリ３３がベースアセンブリ３２に対して閉じられた状態で、その矩形状に切り欠かれた部分は、ベースアセンブリ３２（ベース本体４１）の通路形成溝５１の上端と対向し、通路形成溝５１の上端とともに、左右方向に延びる矩形状のメダル入口１４２（図２参照）を形成する。そして、カバーアセンブリ３３がベースアセンブリ３２に対して閉じられた状態で、通路形成溝５１とカバー本体１３１との間に、メダル入口１４２とメダル出口６０とに連通するメダル通路１４３（図２参照）が形成される。
【００８８】
カバー本体１３１には、メダル通路１４３に臨む部分に、図１０に示されるように、押圧部材用開口１４４が前後方向に貫通して形成されている。押圧部材用開口１４４は、通路形成溝５１が左下がりに傾斜する部分に沿って延びる略矩形状をなしている。
【００８９】
カバー本体１３１の後面には、押圧部材用開口１４４の上方に、２つの外側挿通部１４５が押圧部材用開口１４４と平行な方向に間隔を空けて形成されている。各外側挿通部１４５は、押圧部材用開口１４４と平行な方向から見て、Ｕ字状をなし、その両端（開放端）がカバー本体１３１の後面に接続されている。
【００９０】
また、カバー本体１３１の後面には、その左下端部に、円筒状の阻止部材収容部１４６が形成されている。カバー本体１３１における阻止部材収容部１４６に囲まれる部分には、図３に示されるように、阻止部材用窓１４７が前後方向に貫通して形成されている。
【００９１】
さらに、カバー本体１３１には、押圧部材用開口１４４の上方に、カバー側操作窓１４８が前後方向に貫通して形成されている。カバー側操作窓１４８は、ベースアセンブリ３２のベース側操作窓５８とほぼ同形状に形成されており、カバーアセンブリ３３がベースアセンブリ３２に対して閉じられた状態で、ベース側操作窓５８に後側から重なる。
【００９２】
押圧部材１３２は、図１０に示されるように、２つの内側挿通部１５１、作用部１５２および被検出部１５３を一体的に有している。各内側挿通部１５１には、同一の直線を中心線とする支持軸挿通孔１５４が貫通して形成されており、２つの内側挿通部１５１は、支持軸挿通孔１５４の中心線方向に間隔を空けて設けられている。
【００９３】
各内側挿通部１５１がカバー本体１３１の２つの外側挿通部１４５の内側に配置され、外側挿通部１４５および内側挿通部１５１に支持軸１５５が挿通されて、支持軸１５５の両端部が外側挿通部１４５に支持されることにより、押圧部材１３２は、支持軸１５５を支点に揺動可能に設けられている。作用部１５２は、２つの内側挿通部１５１に跨がって設けられており、支持軸挿通孔１５４の中心線と直交する方向に延び、押圧部材用開口１４４を介して、メダル通路１４３に臨んでいる。また、作用部１５２は、先端縁（前端縁）が左側ほど前側に位置するように傾斜した略三角形板状をなしている。被検出部１５３は、作用部１５２の右後端部から右方に延びる矩形板状をなしている。
【００９４】
また、支持軸１５５の途中部は、２つの内側挿通部１５１の間に配置されるねじりばね１５６のコイル部分に挿通されている。ねじりばね１５６の一端部は、カバー本体１３１に係止されている。ねじりばね１５６の他端部は、作用部１５２に固定されている。ねじりばね１５６の弾性力により、作用部１５２がメダル通路１４３側に付勢されている。
【００９５】
阻止部材１３３は、カバー本体１３１の阻止部材収容部１４６内に収容されている。阻止部材１３３は、阻止部材収容部１４６の内周面よりも小径の外周面を有する基部１６１と、基部１６１の先端面から突出する円柱状の先端部１６２とを一体的に有している。先端部１６２は、カバー本体１３１の阻止部材用窓１４７に挿通されており、阻止部材１３３は、先端部１６２が阻止部材用窓１４７からメダル通路１４３内に進出した状態と先端部１６２がメダル通路１４３から退避した状態とに進退可能に設けられている。また、基部１６１とカバー本体１３１の後面との間には、コイルばね１６３が介在されており、阻止部材１３３は、そのコイルばね１６３の弾性力により、メダル通路１４３側と反対側、つまり後側に付勢されている。
【００９６】
第１ソレノイド１３４は、第１ブラケット１７１に固定されている。第１ブラケット１７１は、２つのねじ１７２により、カバー本体１３１に後側から取り付けられている。第１ソレノイド１３４は、前後方向に進退可能なプランジャ（図示せず）を備えており、このプランジャの先端部（後端部）は、操作部材１７３に結合されている。操作部材１７３は、第１ソレノイド１３４の後側から上側に回り込んで前方に延びている。第１ソレノイド１３４がオフのときには、プランジャが相対的に後側に位置し、操作部材１７３の先端部がカバー側操作窓１４８内に配置されている。第１ソレノイド１３４がオンされると、操作部材１７３がプランジャとともに前方に移動し、操作部材１７３の先端部がカバー側操作窓１４８から前側に突出する。
【００９７】
第２ソレノイド１３５は、第２ブラケット１８１に固定されている。第２ブラケット１８１は、ねじ１７２，１８２により、カバー本体１３１に後側から取り付けられている。ねじ１７２は、カバー本体１３１に対する第１ブラケット１７１の取付と第２ブラケット１８１の取付とに共用されている。第２ソレノイド１３５は、阻止部材１３３の後側に配置されており、前後方向に進退可能なプランジャ１８３と、プランジャ１８３に連結され、阻止部材収容部１４６内に延びるプッシュバー（図示せず）とを備えている。第２ソレノイド１３５がオフのときには、プランジャ１８３およびプッシュバーが相対的に後側に位置している。第２ソレノイド１３５がオンされると、プッシュバーがプランジャ１８３とともに前方に移動する。そして、プッシュバーにより、阻止部材１３３が押圧され、コイルばね１６３の弾性力に抗して、阻止部材１３３が前方に移動し、阻止部材１３３の先端部１６２が阻止部材用窓１４７からメダル通路１４３内に進出する。
【００９８】
中間センサ１３６には、フォトインタラプタが採用されている。中間センサ１３６は、第１ブラケット１７１に取り付けられ、押圧部材１３２の揺動に伴って、被検出部１５３がフォトインタラプタの発光部と受光部との間に対して進出／退避可能となる位置に配置されている。
【００９９】
保護カバー１３７は、２つのねじ１９１により、カバー本体１３１に後側から取り付けられている。保護カバー１３７により、第１ソレノイド１３４および第２ソレノイド１３５など、カバー本体１３１の後面に設けられた各部材が一括して被覆されている。保護カバー１３７には、多数の小孔１８１が貫通して形成されており、第１ソレノイド１３４および第２ソレノイド１３５からの発熱を小孔１８１を介して外部に逃がすことができるようになっている。
【０１００】
図１１は、ベースアセンブリ３２および押圧部材１３２の断面図であり、投入メダルＩＭが押圧部材１３２に接触する前の状態を示す。図１２は、ベースアセンブリ３２および押圧部材１３２の断面図であり、投入メダルＩＭが押圧部材１３２に接触している状態を示す。
【０１０１】
メダル投入口１１（図１参照）から投入された投入メダルＩＭは、メダルセレクタ３１のメダル入口１４２（図２参照）を通してメダル通路１４３（図２参照）に進入し、メダル通路１４３をメダル出口６０（図２参照）に向けて進行する。
【０１０２】
メダル入口センサ９７は、図６に示されるように、投入メダルＩＭがメダル進入検出用開口５３と前後方向に対向する位置（前後方向に重なる位置）に存在するときにオン信号を出力する。したがって、投入メダルＩＭがメダル進入検出用開口５３に差し掛かると、メダル入口センサ９７から出力される信号がオフ信号からオン信号に切り替わり、投入メダルＩＭがメダル進入検出用開口５３を通過し終えると、メダル入口センサ９７から出力される信号がオン信号からオフ信号に切り替わる。
【０１０３】
図１０を参照して、第１ソレノイド１３４がオンされている状態では、操作部材１７３の先端部がカバー側操作窓１４８から前側に突出し、その操作部材１７３の先端部が可変通路形成部材４２の被操作部８３を前方に押圧する。そして、図１１および図１２に示されるように、可変通路形成部材４２のレール部８４の後端部８８がメダル脱落部５６に位置し、後端部８８の上面が通路形成溝５１の下側面５２とほぼ同一平面上に位置する。そのため、メダル通路１４３を進行する投入メダルＩＭは、図１２に示されるように、通路形成溝５１の下側面５２上からレール部８４の後端部８８上に移る。
【０１０４】
投入メダルＩＭが正規サイズのメダルである場合には、投入メダルＩＭの上端部が可変通路形成部材４２の連結部８５の上端部に後側から当接し、投入メダルＩＭがレール部８４の後端部８８上を転動することができる。一方、投入メダルＩＭが正規サイズよりも小径のメダルである場合には、その投入メダルＩＭの上端部が連結部８５の上端部に当接せず、投入メダルＩＭが連結部８５にもたれ掛かるように傾倒する。その結果、投入メダルＩＭの下端部がレール部８４の後端部８８上を後方に滑り、投入メダルＩＭがその後端部８８上から脱落する。これにより、投入メダルＩＭが正規サイズよりも小径のメダルである場合に、その投入メダルＩＭがメダル出口６０に到達することが防止される。レール部８４の後端部８８上から脱落した投入メダルＩＭは、メダルトレイ１９（図１参照）に排出される。
【０１０５】
投入メダルＩＭがレール部８４の後端部８８上に移る前は、図１１に示されるように、押圧部材１３２の作用部１５２がメダル通路１４３内に突出している。この状態では、中間センサ１３６の発光部と受光部との間から押圧部材１３２の被検出部１５３が退避しており、中間センサ１３６からオフ信号が出力されている。
【０１０６】
レール部８４の後端部８８上における投入メダルＩＭの転動が進むと、図１２に示されるように、投入メダルＩＭが押圧部材１３２の作用部１５２に当接する。そして、投入メダルＩＭの転動に伴い、押圧部材１３２が投入メダルＩＭを前方に押圧し、その反作用として、投入メダルＩＭが作用部１５２の先端縁を後方に押圧する。これにより、押圧部材１３２が後方へ回動し、中間センサ１３６の発光部と受光部との間に押圧部材１３２の被検出部１５３が進出し、中間センサ１３６から出力される信号がオフ信号からオン信号に切り替わる。投入メダルＩＭの転動がさらに進み、投入メダルＩＭが押圧部材１３２の作用部１５２から離れると、ねじりばね６５の弾性力により、作用部１５２がメダル通路１４３内に突出した状態に戻る。また、押圧部材１３２の被検出部１５３が中間センサ１３６の発光部と受光部との間から退避し、中間センサ１３６から出力される信号がオン信号からオフ信号に切り替わる。
【０１０７】
その後、投入メダルＩＭは、レール部８４の後端部８８上から通路形成溝５１の下側面５２上に移り、その下側面５２上を転動する。
【０１０８】
図５を参照して、第１メダル出口センサ１１２は、たとえば、投入メダルＩＭが第１メダル通過検出用開口５４と前後方向に対向する位置（前後方向に重なる位置）に存在するときにオン信号を出力する。したがって、投入メダルＩＭが第１メダル通過検出用開口５４に差し掛かると、第１メダル出口センサ１１２から出力される信号がオフ信号からオン信号に切り替わり、投入メダルＩＭが第１メダル通過検出用開口５４を通過し終えると、第１メダル出口センサ１１２から出力される信号がオン信号からオフ信号に切り替わる。
【０１０９】
第２メダル出口センサ１１３は、たとえば、投入メダルＩＭが第２メダル通過検出用開口５５と前後方向に対向する位置（前後方向に重なる位置）に存在するときにオン信号を出力する。したがって、投入メダルＩＭが第２メダル通過検出用開口５５に差し掛かると、第２メダル出口センサ１１３から出力される信号がオフ信号からオン信号に切り替わり、投入メダルＩＭが第２メダル通過検出用開口５５を通過し終えると、第２メダル出口センサ１１３から出力される信号がオン信号からオフ信号に切り替わる。
【０１１０】
その後、投入メダルＩＭは、メダル出口６０（図２参照）に到達し、メダル出口６０を通過する。メダル出口６０を通過した投入メダルＩＭは、メダル貯留部（図示せず）に貯留される。
【０１１１】
図１３は、スロットマシン１の電気的構成を示すブロック図である。
【０１１２】
スロットマシン１は、ゲームの中枢的な制御を実行するメイン基板２０１と、ゲームに付随する演出のための制御を行う演出サブ基板２０２と、光と音による電飾のための制御を行う電飾サブ基板２０３とを備えている。
【０１１３】
メイン基板２０１には、ＣＰＵ２１１、ＲＯＭ２１２、ＲＡＭ２１３、入出力ポート２１４、クロック発生回路２１５および信号送出回路２１６が備えられている。
【０１１４】
ＣＰＵ２１１は、ＲＯＭ２１２、ＲＡＭ２１３、入出力ポート２１４、クロック発生回路２１５および信号送出回路２１６と接続されている。ＣＰＵ２１１は、クロック発生回路２１５から入力されるクロック信号に基づいて、所定の周期でＲＯＭ２１２に格納されている各プログラムを実行し、そのプログラムの実行時に、ＲＡＭ２１３をワークエリアとして使用する。また、ＣＰＵ２１１は、プログラムの実行により、入出力ポート２１４を介して入力される信号に基づいて、入出力ポート２１４に接続された制御対象の動作を制御する。さらに、ＣＰＵ２１１は、信号送出回路２１６を介して、演出サブ基板２０２および電飾サブ基板２０３にコマンドおよび制御に必要な信号を送出する。
【０１１５】
入出力ポート２１４には、クレジット数表示器９、払出枚数表示器１０、ＭＡＸベットボタン１２、１枚ベットボタン１３、２枚ベットボタン１４、スタートレバー１５、左ストップボタン１６Ｌ、中ストップボタン１６Ｃ、右ストップボタン１６Ｒ、精算ボタン１７およびメダルセレクタ３１が接続されている。また、入出力ポート２１４には、左リール４Ｌ、中リール４Ｃおよび右リール４Ｒをそれぞれ回転させるためのステッピングモータ２２１Ｌ，２２１Ｃ，２２１Ｒと、左リール４Ｌ、中リール４Ｃおよび右リール４Ｒがそれぞれ１回転する度に検出信号（たとえば、オン信号）を出力するリール位置検出センサ２２２Ｌ，２２２Ｃ，２２２Ｒと、メダル貯留部（図示せず）からメダル排出口１８を通してメダルトレイ１９にメダルを排出するメダル排出モータ２２３と、メダル排出モータ２２３によってメダルがメダルトレイ１９に１枚排出される度に検出信号（たとえば、オン信号）を出力するメダル排出センサ２２４とが接続されている。
【０１１６】
演出サブ基板２０２には、ＣＰＵ２３１、ＲＯＭ２３２、ＲＡＭ２３３、信号入力回路２３４および駆動回路２３５が備えられている。
【０１１７】
ＣＰＵ２３１は、ＲＯＭ２３２、ＲＡＭ２３３、信号入力回路２３４および駆動回路２３５と接続されている。ＣＰＵ２３１は、ＲＯＭ２３２に格納されているプログラムを実行し、そのプログラムの実行時に、ＲＡＭ２３３をワークエリアとして使用する。また、ＣＰＵ２１１は、プログラムの実行により、信号入力回路２３４から入力される信号に基づき、駆動回路２３５を介して、液晶表示器２０の表示を制御する。
【０１１８】
電飾サブ基板２０３は、メイン基板２０１から送信されるコマンドに基づいて、左ストップボタン１６Ｌ、中ストップボタン１６Ｃ、右ストップボタン１６Ｒなどに内蔵されたＬＥＤ２４１の点灯を制御する。また、スピーカ２１，２３からの効果音の出力を制御する。
【０１１９】
図１４は、メダルセレクタ３１の電気的構成を示すブロック図である。
【０１２０】
メダルセレクタ３１に備えられている第１カラーセンサ９４、第２カラーセンサ９６、メダル入口センサ９７、第１メダル出口センサ１１２、第２メダル出口センサ１１３および中間センサ１３６の各出力信号は、メイン基板２０１の入出力ポート２１４（図１３参照）に入力される。
【０１２１】
また、メダルセレクタ３１に備えられている第１ソレノイド１３４および第２ソレノイド１３５には、メイン基板２０１のＣＰＵ２１１（図１３参照）から入出力ポート２１４を介して駆動信号が入力される。
【０１２２】
図１５は、基準メダル保持機構７１の断面図であり、基準メダル保持機構７１に基準メダルが保持されていない状態を示す。図１６は、基準メダル保持機構７１の断面図であり、基準メダル保持機構７１に基準メダルが保持されている状態を示す。
【０１２３】
スロットマシン１では、正規サイズのメダルであれば、その色にかかわらず、ゲームへの使用が許容されるモード（色違いメダル許容モード）と、正規サイズかつ特定色のメダルのゲームへの使用（ベット）が許容され、非正規サイズのメダルおよび特定色以外の色のメダルのゲームへの使用が排除されるモード（色違いメダル排除モード）とに切り替えて設定することができる。
【０１２４】
基準メダルＳＭが基準メダル保持機構７１に保持されていない状態では、色違いメダル許容モードが設定される。基準メダルＳＭが基準メダル保持機構７１に保持されていない状態では、図１５に示されるように、各メダル支持アーム７４が後側に傾き、その上端部がメダル収容凹部７２内に位置している。右側のメダル支持アーム７４の後方には、メダルスイッチ９８が配置されている。このとき、右側のメダル支持アーム７４の凸部７９がメダルスイッチ９８の可動部１０５から離間し、メダルスイッチ９８がオフになっている。メダルスイッチ９８がオフの状態では、第１光源９３、第１カラーセンサ９４、第２光源９５および第２カラーセンサ９６に駆動電力を供給することができない。そのため、後述の色違い判定処理を実行することができない。
【０１２５】
図７および図１６に示されるように、ゲームへの使用が許容されるべき特定色のメダルを基準メダルＳＭとして基準メダル保持機構７１に保持させることにより、色違いメダル排除モードを設定することができる。基準メダルＳＭが基準メダル保持機構７１に保持されるときには、図７に示されるように、基準メダルＳＭの下端部が係止凸部７５の前側に配置されて、基準メダルＳＭが前側に傾動される。基準メダルＳＭの傾動の途中で、基準メダルＳＭの上端部がメダル係止爪７３の爪部７７を前方に押圧し、この押圧力により、爪部７７が上方に移動するように、メダル係止爪７３が弾性変形する。また、基準メダルＳＭが２つのメダル支持アーム７４を前方に押圧し、この押圧力により、各メダル支持アーム７４の上端部が前方に移動するように、各メダル支持アーム７４が弾性変形する。そして、基準メダルＳＭの上端部が爪部７７を前側に乗り越えると、メダル係止爪７３が復元し、爪部７７が基準メダルＳＭの上端部の後側に配置される。これにより、基準メダルＳＭは、２つのメダル支持アーム７４の弾性力によって後方に押圧され、その上端部および下端部がそれぞれ爪部７７および係止凸部７５に前側から係止する。その結果、基準メダルＳＭは、メダル収容凹部７２内に収容された状態で、基準メダル保持機構７１に保持される。
【０１２６】
基準メダルＳＭが基準メダル保持機構７１に保持されると、図１６に示されるように、各メダル支持アーム７４が弾性変形し、各メダル支持アーム７４の凸部７９がメダル収容凹部７２の後側に突出する。そして、右側のメダル支持アーム７４の凸部７９がメダルスイッチ９８の可動部１０５を前方に押圧し、メダルスイッチ９８がオンになる。メダルスイッチ９８がオンになると、第１光源９３、第１カラーセンサ９４、第２光源９５および第２カラーセンサ９６に駆動電力を供給可能となる。
【０１２７】
図１７は、色違い判定処理の流れを示すフローチャートである。
【０１２８】
色違い判定処理は、色違いメダル排除モードが設定されているときに、メイン基板２０１のＣＰＵ２１１によって繰り返し実行される。
【０１２９】
色違い判定処理では、メダル入口センサ９７の出力信号が参照されて、メダル投入口１１から投入された投入メダルＩＭがメダルセレクタ３１のメダル入口１４２を通してメダル通路１４３に進入したか否かが判定される（ステップＳ１）。メダル入口センサ９７は、たとえば、メダルがメダル進入検出用開口５３と前後方向に対向する位置（前後方向に重なる位置）に存在するときにオン信号を出力する。
【０１３０】
投入メダルＩＭがメダル通路１４３に進入していないとき（ステップＳ１のＮＯ）、つまりメダル入口センサ９７からオフ信号が出力されているときには、色違い判定処理が直ちに終了される。
【０１３１】
メダルがメダル進入検出用開口５３に差し掛かり、メダル入口センサ９７からオン信号が出力されると、メダル通路１４３にメダルが進入したと判定される（ステップＳ１のＹＥＳ）。そして、第１カラーセンサ９４および第２カラーセンサ９６の出力信号が参照されて、そのメダル通路１４３に進入した投入メダルＩＭの色情報が取得されるとともに、基準メダル保持機構７１に保持されている基準メダルＳＭの色情報が取得される（ステップＳ２）。
【０１３２】
具体的には、図９に示されるように、第１光源９３からの白色光が投入メダルＩＭの中央部で反射し、その反射光が第１カラーセンサ９４に入射することにより、投入メダルＩＭの中央部のＲＧＢの各色成分の強度に応じた信号が第１カラーセンサ９４から出力される。そして、その第１カラーセンサ９４の出力信号に基づいて、たとえば、Ｒ成分の強度とＢ成分の強度との比であるＲ／Ｂ値およびＧ成分の強度とＢ成分の強度との比であるＧ／Ｂ値が色情報として取得される。その一方で、第２光源９５からの白色光が基準メダルＳＭで反射し、その反射光が第２カラーセンサ９６に入射することにより、基準メダルＳＭの中央部のＲＧＢの各色成分の強度に応じた信号が第２カラーセンサ９６から出力される。そして、その第２カラーセンサ９６の出力信号に基づいて、たとえば、Ｒ成分の強度とＢ成分の強度との比であるＲ／Ｂ値およびＧ成分の強度とＢ成分の強度との比であるＧ／Ｂ値が色情報として取得される。
【０１３３】
その後、投入メダルＩＭの色情報と基準メダルＳＭの色情報とが比較されて、投入メダルＩＭが基準メダルＳＭと色が違う色違いメダルであるか否かが判定される（ステップＳ３）。
【０１３４】
具体的には、投入メダルＩＭのＲ／Ｂ値と基準メダルＳＭのＲ／Ｂ値との差異が所定範囲内（たとえば、±５％以内）に収まり、かつ、投入メダルＩＭのＧ／Ｂ値と基準メダルＳＭのＧ／Ｂ値との差異が所定範囲内（たとえば、±５％以内）に収まっている場合には、投入メダルＩＭが基準メダルＳＭと同じ色のメダルであると判定される（ステップＳ３のＮＯ）。一方、メダル通路１４３を通過中のメダルのＲ／Ｂ値と基準メダルＳＭのＲ／Ｂ値との差異が所定範囲から外れるか、または、メダル通路１４３を通過中のメダルのＧ／Ｂ値と基準メダルＳＭのＧ／Ｂ値との差異が所定範囲から外れている場合には、メダル通路１４３を通過中のメダルが色違いメダルであると判定される（ステップＳ３のＹＥＳ）。
【０１３５】
投入メダルＩＭが色違いメダルであると判定された場合（ステップＳ３のＹＥＳ）、メイン基板２０１のＲＡＭ２１３に設けられたブロックフラグに１がセットされて（ステップＳ４）、色違い判定処理が終了される。
【０１３６】
投入メダルＩＭが色違いメダルではないと判定された場合は（ステップＳ３のＮＯ）、ブロックフラグが０にリセットされたまま、色違い判定処理が終了される。
【０１３７】
図１８Ａおよび図１８Ｂは、メダルブロック処理の流れを示すフローチャートである。
【０１３８】
色違い判定処理において、投入メダルＩＭが色違いメダルであると判定され、ブロックフラグに１がセットされると、メイン基板２０１のＣＰＵ２１１により、メダルブロック処理が実行される。
【０１３９】
メダルブロック処理では、まず、第１メダル出口センサ１１２からオン信号が出力されているか否かが調べられる（ステップＳ１１）。
【０１４０】
第１メダル出口センサ１１２からオン信号が出力されているとき（ステップＳ１１のＹＥＳ）、つまり色違いメダルであると判定された投入メダルＩＭに先行する先行メダルが第１メダル通過検出用開口５４と前後方向に対向する位置を通過中であるときには、次に、第２メダル出口センサ１１３からオン信号が出力されているか否かが調べられる（ステップＳ１２）。
【０１４１】
第２メダル出口センサ１１３からオン信号が出力されているとき（ステップＳ１２のＹＥＳ）、つまり先行メダルが第２メダル通過検出用開口５５と前後方向に対向する位置を通過中であるときには、つづいて、第１メダル出口センサ１１２から出力される信号がオン信号からオフ信号に切り替わったか否かが繰り返し調べられる（ステップＳ１３）。
【０１４２】
その後、先行メダルが第１メダル通過検出用開口５４と前後方向に対向する位置を通過し終えて、第１メダル出口センサ１１２から出力される信号がオン信号からオフ信号に切り替わると（ステップＳ１３のＹＥＳ）、第２メダル出口センサ１１３から出力される信号がオン信号からオフ信号に切り替わったか否かが繰り返し調べられる（ステップＳ１４）。
【０１４３】
先行メダルが第２メダル通過検出用開口５５と前後方向に対向する位置を通過し終えて、第２メダル出口センサ１１３から出力される信号がオン信号からオフ信号に切り替わると（ステップＳ１４のＹＥＳ）、スロットマシン１にクレジットされているメダルの枚数（クレジット数）をカウントするためのメダルカウンタのカウント値がインクリメント（＋１）される（ステップＳ１５）。メダルカウンタは、メイン基板２０１のＲＡＭ２１３に設けられている。先行メダルは、メダル出口６０を通過後、メダル貯留部（図示せず）に貯留される。
【０１４４】
また、第２メダル出口センサ１１３から出力される信号がオン信号からオフ信号に切り替わると（ステップＳ１４のＹＥＳ）、色違いメダルである投入メダルＩＭがメダル出口６０に到達することを阻止するためのブロック制御が実行される（ステップＳ１６）。
【０１４５】
第１ソレノイド１３４がオンにされ、第２ソレノイド１３５がオフにされている。ブロック制御では、第１ソレノイド１３４がオフされるとともに、第２ソレノイド１３５がオンされる。第１ソレノイド１３４がオフされると、操作部材１７３の先端部が可変通路形成部材４２の被操作部８３から離間し、コイルばね８７の弾性力により、可変通路形成部材４２が回動し、レール部８４の後端部８８がメダル脱落部５６から退避する。これにより、その後にメダル脱落部５６に到達する投入メダルＩＭは、メダル脱落部５６に脱落し、メダルトレイ１９（図１参照）に排出される。また、第２ソレノイド１３５がオンされると、阻止部材１３３が前方に移動し、阻止部材１３３の先端部１６２が阻止部材用窓１４７からメダル通路１４３内に進出する。これにより、第１ソレノイド１３４のオフによるプランジャの移動に時間がかかり、投入メダルＩＭがメダル脱落部５６を通過しても、阻止部材１３３の先端部１６２により、その投入メダルＩＭがメダル出口６０に到達することが阻止される。
【０１４６】
ブロック制御が実行された後は、ブロックフラグが０にリセットされて（ステップＳ１７）、メダルブロック処理が終了される。
【０１４７】
一方、メダルブロック処理の開始時に、第１メダル出口センサ１１２からオン信号が出力されていない場合には（ステップＳ１１のＮＯ）、次に、第２メダル出口センサ１１３からオン信号が出力されているか否かが調べられる（ステップＳ１８）。
【０１４８】
第２メダル出口センサ１１３からオン信号が出力されているとき（ステップＳ１８のＹＥＳ）、つまり先行メダルが第２メダル通過検出用開口５５と前後方向に対向する位置を通過中であるときには、つづいて、第１メダル出口センサ１１２から出力される信号がオン信号からオフ信号に切り替わったか否かが繰り返し調べられる（ステップＳ１３）。その後は、前述のステップＳ１４〜Ｓ１７が実行される。
【０１４９】
メダルブロック処理の開始時に、第１メダル出口センサ１１２および第２メダル出口センサ１１３の両方からオン信号が出力されていない場合には（ステップＳ１８のＮＯ）、中間センサ１３６からオン信号が出力されているか否かが調べられる（ステップＳ１９）。
【０１５０】
中間センサ１３６からオン信号が出力されていない場合には（ステップＳ１９のＮＯ）、先行メダルが存在しないと判断されて、ブロック制御が直ちに実行され（ステップＳ１６）、ブロックフラグが０にリセットされた後（ステップＳ１７）、メダルブロック処理が終了される。
【０１５１】
一方、中間センサ１３６からオン信号が出力されているとき（ステップＳ１９のＹＥＳ）、つまり先行メダルがレール部８４の後端部８８上を転動しているときには、次いで、第１メダル出口センサ１１２から出力される信号がオフ信号からオン信号に切り替わったか否かが調べられる（ステップＳ２０）。
【０１５２】
第１メダル出口センサ１１２から出力される信号がオフ信号である場合には（ステップＳ２０のＮＯ）、中間センサ１３６からオン信号が出力されているか否かが再び調べられる（ステップＳ１９）。
【０１５３】
先行メダルが第１メダル通過検出用開口５４と前後方向に対向する位置に到達し、中間センサ１３６からオン信号が出力された状態のまま、第１メダル出口センサ１１２から出力される信号がオフ信号からオン信号に切り替わると（ステップＳ２０のＹＥＳ）、次に、第２メダル出口センサ１１３から出力される信号がオフ信号からオン信号に切り替わったか否かが繰り返し調べられる（ステップＳ２１）。
【０１５４】
先行メダルが第２メダル通過検出用開口５５と前後方向に対向する位置に到達し、第２メダル出口センサ１１３から出力される信号がオフ信号からオン信号に切り替わると（ステップＳ２１のＹＥＳ）、つづいて、第１メダル出口センサ１１２から出力される信号がオン信号からオフ信号に切り替わったか否かが繰り返し調べられる（ステップＳ２２）。
【０１５５】
その後、先行メダルが第１メダル通過検出用開口５４と前後方向に対向する位置を通過し終えて、第１メダル出口センサ１１２から出力される信号がオン信号からオフ信号に切り替わると（ステップＳ２２のＹＥＳ）、第２メダル出口センサ１１３から出力される信号がオン信号からオフ信号に切り替わったか否かが繰り返し調べられる（ステップＳ２３）。
【０１５６】
先行メダルが第２メダル通過検出用開口５５と前後方向に対向する位置を通過し終えて、第２メダル出口センサ１１３から出力される信号がオン信号からオフ信号に切り替わると（ステップＳ２３のＹＥＳ）、メダルカウンタのカウント値がインクリメント（＋１）される（ステップＳ１５）。そして、ブロック制御が実行され（ステップＳ１６）、ブロックフラグが０にリセットされた後（ステップＳ１７）、メダルブロック処理が終了される。
【０１５７】
また、中間センサ１３６からオン信号が出力されていることが確認された後、第１メダル出口センサ１１２から出力される信号がオフ信号からオン信号に切り替わらずに、中間センサ１３６から出力される信号がオン信号からオフ信号に切り替わった場合には（ステップＳ１９のＮＯ）、先行メダルが正規サイズよりも小径のメダルであったために、その先行メダルがレール部８４の後端部８８上から脱落したと判断される。そして、ブロック制御が実行され（ステップＳ１６）、ブロックフラグが０にリセットされた後（ステップＳ１７）、メダルブロック処理が終了される。
【０１５８】
以上のように、メダルセレクタ３１には、第１カラーセンサ９４と第２カラーセンサ９６との２つのカラーセンサが設けられている。第１カラーセンサ９４は、メダル入口１４２からメダル出口６０に向けてメダル通路１４３を通過中の投入メダルＩＭの色情報を検出する。第２カラーセンサ９６は、基準メダル保持機構７１に保持されている基準メダルＳＭの色情報を検出する。第１カラーセンサ９４によって検出される色情報および第２カラーセンサ９６によって検出される色情報に基づいて、投入メダルＩＭが基準メダルＳＭと色が違う色違いメダルであるか否かが判定される。そして、投入メダルＩＭが色違いメダルであると判定された場合には、投入メダルＩＭがメダル出口６０に到達することを阻止するためのブロック制御が実行される。
【０１５９】
よって、基準メダルＳＭと同色のメダルが正規のメダルであるとして、その正規のメダルと色違いメダルとを選別して、色違いメダルがメダル通路１４３を通過することを阻止できる。
【０１６０】
基準メダルＳＭの色情報と投入メダルＩＭの色情報とが同一のカラーセンサによって検出される構成では、一方の色情報の検出と他方の色情報の検出とにタイムラグが生じる。そのため、それらの色情報に基づいて、投入メダルＩＭが色違いメダルであるか否かを判定するためには、先に検出される色情報を記憶しておくための記憶領域をメイン基板２０１のＲＡＭ２１３に確保しなければならず、また、その色情報をメイン基板２０１のＲＡＭ２１３に記憶させる処理が必要である。
【０１６１】
これに対し、第１カラーセンサ９４と第２カラーセンサ９６とが別々に設けられた構成では、第１カラーセンサ９４による色情報の検出と第２カラーセンサ９６による色情報の検出とを同時に行うことができるので、投入メダルＩＭが色違いメダルであるか否かの判定（色違い判定）のために、色情報をメイン基板２０１のＲＡＭ２１３に記憶させる必要がない。その結果、メイン基板２０１のＲＡＭ２１３の使用量を低減することができる。また、色情報をメイン基板２０１のＲＡＭ２１３に記憶させる処理が不要であるので、色違い判定のためのプログラムを簡素化することができる。
【０１６２】
メダルセレクタ３１は、第１メダル出口センサ１１２を備えている。第１カラーセンサ９４によって投入メダルＩＭの色情報が検出され、投入メダルＩＭが色違いメダルであると判定された時点で、第１メダル出口センサ１１２により、色違いメダルとは別の先行メダルの存在が検出されている場合、当該先行メダルが第１メダル通過検出用開口５４と前後方向に対向する位置（第１検出位置）を通過し終えて、第１メダル出口センサ１１２により、当該先行メダルの非存在が検出された後に、ブロック制御が実行される。これにより、メダル出口６０への先行メダルの到達が阻止されることを防止できる。
【０１６３】
また、メダルセレクタ３１は、第２メダル出口センサ１１３を備えている。投入メダルＩＭが色違いメダルであると判定された時点で、第２メダル出口センサ１１３により、色違いメダルとは別の先行メダルの存在が検出されている場合、当該先行メダルが第２メダル通過検出用開口５５と前後方向に対向する位置（第２検出位置）を通過し終えて、第２メダル出口センサ１１３により、当該先行メダルの非存在が検出された後に、ブロック制御が実行される。これにより、メダル出口６０への先行メダルの到達が阻止されることを一層防止できる。
【０１６４】
メダルセレクタ３１は、可変通路形成部材４２を備えている。可変通路形成部材４２は、レール部８４の後端部８８がメダル脱落部５６に進出する位置（通路形成位置）と、その後端部８８がメダル脱落部５６から退避する位置（通路開放位置）とに揺動可能に設けられている。さらに、メダルセレクタ３１は、中間センサ１３６を備えている。投入メダルＩＭが色違いメダルであると判定された時点で、先行メダルがレール部８４の後端部８８上を転動しており、中間センサ１３６により、その先行メダルの存在が検出されている場合、ブロック制御が直ちには実行されない。これにより、メダル出口６０への先行メダルの到達が阻止されることを一層防止できる。
【０１６５】
この場合、中間センサ１３６により、先行メダルの非存在が検出され、かつ、第１メダル出口センサ１１２および第２メダル出口１１３により、先行メダルの非存在が検出された後、ブロック制御が実行される。これにより、先行メダルが正規のメダルよりも小径のメダルであったために、その先行メダルがレール部８４の後端部８８上から脱落した場合に、ブロック制御が実行されないことを防止でき、先行メダルに後続する色違いメダルがメダル出口６０に到達することを防止できる。
【０１６６】
また、基準メダルＳＭが基準メダル保持機構７１に保持されていない状態では、第１カラーセンサ９４および第２カラーセンサ９６に駆動電力が供給されない。これにより、第１カラーセンサ９４および第２カラーセンサ９６が無駄に動作することを防止できる。その結果、消費電力を低減することができる。
【０１６７】
第１カラーセンサ９４および第２カラーセンサ９６は、同一の基板９２上に実装されている。これにより、第１カラーセンサ９４および第２カラーセンサ９６をメダルセレクタ３１に組み込む作業にかかる手間を軽減することができる。
【０１６８】
以上、本発明の一実施形態について説明したが、本発明は、他の形態で実施することもできる。
【０１６９】
前述の実施形態では、メダルスイッチ９８がオフの状態では、第１光源９３、第１カラーセンサ９４、第２光源９５および第２カラーセンサ９６に駆動電力を給電不能であり、メダルスイッチ９８がオンになると、第１光源９３、第１カラーセンサ９４、第２光源９５および第２カラーセンサ９６に駆動電力を供給可能になるとした。これに代えて、たとえば、メダルスイッチ９８のオン／オフ状態にかかわらず、第１光源９３、第１カラーセンサ９４、第２光源９５および第２カラーセンサ９６に駆動電力を供給可能であり、かつ、メダルスイッチ９８のオン／オフを表す信号がメイン基板２０１の入出力ポート２１４に入力されるように構成されて、メダルスイッチ９８がオフの状態では、第１カラーセンサ９４および第２カラーセンサ９６からメイン基板２０１の入出力ポート２１４に入力される信号が無効とされ、メダルスイッチ９８がオンの状態では、第１カラーセンサ９４および第２カラーセンサ９６からメイン基板２０１の入出力ポート２１４に入力される信号が有効とされてもよい。この構成によっても、基準メダルＳＭが基準メダル保持機構７１に保持されていない状態において、第１カラーセンサ９４および第２カラーセンサ９６が無駄に動作することを実質的に防止できる。
【０１７０】
また、本発明に係るメダルセレクタは、スロットマシン１以外の装置、たとえば、メダル式ゲーム機などに備えられて、その装置で正規に使用されるメダルとそれとは色が異なる色違いメダルとを選別するために用いられてもよい。
【０１７１】
その他、前述の構成には、特許請求の範囲に記載された事項の範囲で種々の設計変更を施すことが可能である。
【符号の説明】
【０１７２】
１      スロットマシン（遊技機）
２      本体
１１    メダル投入口
３１    メダルセレクタ
４２    可変通路形成部材（可変通路）
６０    メダル出口
７１    基準メダル保持機構
９２    基板
９４    第１カラーセンサ
９６    第２カラーセンサ
９７    メダル入口センサ
１１２  第１メダル出口センサ（第１メダル検出手段）
１１３  第２メダル出口センサ（第２メダル検出手段）
１３３  阻止部材（阻止手段）
１３４  第１ソレノイド（阻止手段）
１３５  第２ソレノイド（阻止手段）
１３６  中間センサ（可変通路メダル検出手段）
１４２  メダル入口
１４３  メダル通路
ＩＭ    投入メダル
ＳＭ    基準メダル
【要約】
【課題】正規のメダルとその正規のメダルと色が違う色違いメダルとを選別して、色違いメダルがメダル通路を通過することを阻止できる、メダルセレクタおよび遊技機を提供する。
【解決手段】メダルセレクタ３１には、第１カラーセンサ９４および第２カラーセンサ９６が設けられている。第１カラーセンサ９４は、メダル通路を通過中の投入メダルの色情報を検出する。第２カラーセンサ９６は、基準メダル保持機構７１に保持されている基準メダルの色情報を検出する。第１カラーセンサ９４によって検出される色情報および第２カラーセンサ９６によって検出される色情報に基づいて、投入メダルが基準メダルと色が違う色違いメダルであるか否かが判定される。そして、投入メダルが色違いメダルであると判定された場合には、投入メダルがメダル出口６０に到達することを阻止するためのブロック制御が実行される。
【選択図】図５【図１】
0005474235.tif 000002
【図２】
0005474235.tif 000003
【図３】
0005474235.tif 000004
【図４】
0005474235.tif 000005
【図５】
0005474235.tif 000006
【図６】
0005474235.tif 000007
【図７】
0005474235.tif 000008
【図８】
0005474235.tif 000009
【図９】
0005474235.tif 000010
【図１０】
0005474235.tif 000011
【図１１】
0005474235.tif 000012
【図１２】
0005474235.tif 000013
【図１３】
0005474235.tif 000014
【図１４】
0005474235.tif 000015
【図１５】
0005474235.tif 000016
【図１６】
0005474235.tif 000017
【図１７】
0005474235.tif 000018
【図１８Ａ】
0005474235.tif 000019
【図１８Ｂ】
0005474235.tif 000020